(57)【特許請求の範囲】
【請求項１】
被破砕物を排出する排出筒の上に円筒状シエルを設けてそれぞれの上端と下端のフランジを一体に固定し、円筒状シエルの内側にはシエルライナを固定し、円筒状シエル内に設けた回転軸にブレーカハンマやブレーカライナ、グラインダを含む破砕部材を取付け、円筒状シエルと排出筒の間には被破砕物の粒度を調整するためのチョークリングを設け、排出筒内にはロータとチョークリングとの間の隙間から落下する破砕された被破砕物を載置して一定方向へ回転移動させる、載置面がフラットな水平面として形成される回転テーブルを回転自在に支持して設け、この回転テーブルを駆動する駆動部からの回転速度を所定割合に減速して伝達する回転伝達手段を介して回転テーブルを駆動部へ連結し、回転テーブルを回転軸と異なる低速度で回転駆動すると共に、上記チョークリングとの間の隙間から浮遊粒子を排気風量又は吸引風量により吸引するようにして成る破砕装置の排出部構造。
【請求項２】
前記回転テーブルを排出筒が設置される底板上に所定間隔で複数箇所に設けた軸受で回転自在に支持するようにしたことを特徴とする請求項１に記載の破砕装置の排出部構造。
【請求項３】
前記回転テーブルの縁材にリンクチェーンを全周に取付け、上記リンクチェーンに係合するスプロケットを駆動部に連結して回転駆動し、駆動部を回転軸とは独立に回転力を与えるモータにより形成したことを特徴とする請求項１又は２に記載の破砕装置の排出部構造。
【請求項４】
前記回転テーブルの外周側に下縁部を設け、この下縁部に適当な間隔でダストスクレーパを取付けたことを特徴とする請求項１乃至３のいずれかに記載の破砕装置の排出部構造。
【請求項５】
前記回転テーブル上の被破砕物を排出口へ排出する経路上の終り位置にスクレーパを設け、このスクレーパにシャーピンを含む安全手段を設けたことを特徴とする請求項１乃至３のいずれかに記載の破砕装置の排出部構造。
【発明の詳細な説明】
【０００１】
【発明の属する技術分野】
この発明は、円筒状シエル内部で被破砕物を破砕する縦型破砕装置の排出部構造に関する。
【０００２】
【従来の技術】
各種廃棄物などの被破砕物を円筒状シエル内部に投入して、シエル内側のシエルライナとシエル中心の回転軸の外側に設けたブレーカハンマ又はブレーカライナ、グラインダとの間で破砕するように構成された縦型破砕装置が公知である。このような破砕装置の一例が実開昭６２−１５６３４８号公報に示されている。
【０００３】
この公報に記載されている破砕装置は、排出筒の上に筒状シエルを設け、シエルの内側にシエルライナを固定し、シエルの中心に設けた回転軸にブレーカハンマやブレーカライナ、あるいはグラインダなどの破砕部材を取付け、シエルと排出筒の間には被破砕物の粒度を調整するためのチョークリングを設け、排出筒とシエルはそれぞれの上端又は下端のフランジをボルトで一体に締結し、排出筒内には破砕部材で破砕された被破砕物を回転するアームで掻き集めるスイーパが設けられ、一定方向に送られた被破砕物をスクレーパによる案内で排出口へと送り出すように構成されている。
【０００４】
上記スイーパは、シエル内のグラインダを取付けるためのロータ板と排出筒を固定する底板との間のリング状の中空ペース内で回転軸と共に高速回転し、被破砕物を一定方向に送るように設けられている。
【０００５】
【発明が解決しようとする課題】
ところで、上述した縦型破砕装置は各種の被破砕物を対象とするが、特に冷蔵庫などフロン断熱材を用いた廃棄物を破砕するのに用いる際、フロン断熱材を破砕すると断熱材の素材内に閉じ込められたフロンガスが流出し、断熱材全体では無視できない程となり、これをそのまま大気中に放出すると大気圏上空のオゾン層を破壊するためこれらのフロンを回収するよう義務付けられている。このため、排出口にはフロン回収装置が接続される。
【０００６】
上記フロン回収装置は、排気中のフロンガスを高効率に回収するため小型化が図られており、例えば吸引風量３０〜５０ｍ3 ／ｍｉｎ程度の大きさのものが一般に用いられている。ところが、上記破砕装置はスイーパが回転軸に直接取付けられているため回転軸と同じ速度で回転する。破砕装置は被破砕物を大量に処理することが要求されるため、回転軸は高速度で回転し、例えば３００、３９０ｒｐｍ、のような回転速度で運転される。
【０００７】
このような高速度で回転軸が回転すると、スイーパも同じ回転速度であるためスイーパ自体が排出筒内で一種の扇風機のような役目をし、排出口に対して相当の風量の風を送り、その風量は２００ｍ3 ／ｍｉｎ〜１５０ｍ3 ／ｍｉｎという大量の風となる。このため、フロン回収装置との間に風量のミスマッチングが生じ、フロン回収装置で十分なフロン回収ができない場合がある。
【０００８】
この発明は、上記従来の縦型破砕装置の排出筒による問題点に留意し、排出筒内で被破砕物を排出口へ送る際に強い排気流が生じないように回転移動させて次工程での作用を阻害しないような排出筒構造を有する縦形破砕装置を提供することを課題とする。
【０００９】
【課題を解決するための手段】
この発明は、上記の課題を解決する手段として、被破砕物を排出する排出筒の上に円筒状シエルを設けてそれぞれの上端と下端のフランジを一体に固定し、円筒状シエルの内側にはシエルライナを固定し、円筒状シエル内に設けた回転軸にブレーカハンマやブレーカライナ、グラインダを含む破砕部材を取付け、円筒状シエルと排出筒の間には被破砕物の粒度を調整するためのチョークリングを設け、排出筒内には破砕された被破砕物を載置して一定方向へ回転移動させる回転テーブルを回転自在に支持して設け、この回転テーブルを回転伝達手段を介して駆動部へ連結し、回転軸と異なる低速度で回転駆動するようにして成る破砕装置の排出部構造としたのである。
【００１０】
かかる構成の破砕装置排出部構造において、破砕装置としての被破砕物に対する破砕作用は従来と同様であり、円筒状シエル内に投入された被破砕物をブレーカハンマやブレーカライナ、グラインダを含む破砕部材によりシエルライナとの間で打撃、衝突させて破砕させる。破砕された被破砕物はチョークリングで設定される粒度以下になると隙間から排出筒内へ落下し、回転テーブル上に載置される。
【００１１】
上記被破砕物として特に断熱材を多く含んでいる場合、素材の組織内の各部分部分にフロンガスを微量に含んでいるため、破砕処理をすると全体として大気中に放出することを容認できない程のフロンガスが発生する。これらのフロンガスなどの浮遊粒子が発生してもこの破砕装置では残存する３０〜５０ｍ3 ／ｍｉｎ程度の排気風量によって円筒状シエル内の雰囲気をゆるやかにロータとチョークリングの隙間から吸引するため、破砕部材で破砕した際に生じるフロンガスなどの浮遊粒子を含む雰囲気は円筒状シエルの上端から大気中に放出されることなく、吸引される空気の流れと共に排出筒内へ移動する。
【００１２】
一方、排出筒内の雰囲気の気流には、水平な回転テーブルが回転することにより生じる流れは殆どなく、残存する排気風量が主な要因である。しかも、回転テーブルは高速で回転する回転軸の回転と同じではなく、それよりもはるかに遅い速度で、排出される気流が次工程の作用を阻害しない程度に抑制されている。
【００１３】
このため、例えばフロン処理装置が次工程に接続されるような場合、フロン処理装置でのフロン分解作用を阻害することなくその処理速度にマッチングした速度でフロンを含む雰囲気の気流を排出口から排出することとなる。
【００１４】
【実施の形態】
以下、この発明の実施の形態について図面を参照して説明する。図１は実施形態の縦型破砕機の主要縦断面図である。１は円筒状シエル、２は排出筒（ディスチャージリング）であり、円筒状シエル１は上部が広くなった浅いテーパ状となり、上端が投入口として開口し、下端を排出筒２に支持され、固定されている。円筒状シエル１の内側には多数のシエルライナ３が所定の間隔で配置されている。
【００１５】
円筒状シエル１の中央に設けた垂直の回転軸４の上部寄りにはブレーカライナ５、５が設けられ、中間位置から下部寄りには円板状のロータ６、６、６が取り付けられ、各ロータ６、６と６、６間にそれぞれグラインダピン７を介して複数のグラインダ８、８が回転自在に取付けられている。なお、ブレーカライナ５、５に代えてブレーカハンマを取付ける場合もあり、回転軸４に取り付ける破砕部材の構造は自由である。
【００１６】
円筒状シエル１の下端フランジ１１と排出筒２の上端フランジ１２との間には肉厚部材１４が円周方向に一定間隔で複数箇所設けられ、この肉厚部材１４で下端フランジ１１と上端フランジ１２の間を一定距離に保持し、これによって保持された隙間の間で半径方向に進退動できる可動チョークリング１３が肉厚部材１４に隣接して設けられている。２０はチョークリング１３を進退動させるためのシリンダを含む駆動手段である。
【００１７】
排出筒２の下端は、底板１０に固定して設けられ、回転軸４を支持する軸受部の外周カバーと排出筒２との間で、かつ上、下をロータ６、チョークリング１３と底板１０により囲まれるスペース内の底板１０より少し上方に、ロータ６とチョークリング１３との間の隙間から落下する破砕された被破砕物を載置して排出口へと回転移動させるリング状の回転テーブル３１が回転自在に支持されて取付けられている。
【００１８】
回転テーブル３１は、図１に示すように、断面がＬ字状の部材の水平部端にコ字断面部を一体に形成し、さらにその外周側にくの字断面部３３を一体に固定したものをリング状にして形成され、コ字断面部の直径で底板１０上に、図２に示すように、所定のピッチで複数個設けた傾斜軸受３２により多点状に回転自在に支持されている。コ字断面部の回転軸４側の面には全周にリンクチェーン３４が固定して設けられ、このリンクチェーン３４に係合するスプロケット３５が複数箇所（図示の例では３点）設けられている。リンクチェーン３４とスプロケット３５は回転伝達手段を形成している。
【００１９】
スプロケット３５の下方には底板１０の裏側に設けた駆動部であるモータ３６の出力軸に連結される軸が延びてスプロケット３５を回転駆動するように設けられている。この複数組のスプロケット３５は、モータ３６同士を同期駆動して回転されるが、その回転速度はテーブルの回転速度が、例えば４０〜５０ｒｐｍ程度の低速回転速度であり、回転軸４の回転速度の数分の１である。
【００２０】
図２に示すように、回転テーブル３１が回転してテーブル上の被破砕物が回転移動されて排出口４２へ運ばれる経路上の終わり付近にはスクレーパ４１が取付けられており、被破砕物は排出口４２へこのスクレーパ４１に当接して排出される。このスクレーパには図示省略しているがシャーピンを含む安全手段を設けるとよい。スクレーパに被破砕物が当接して過負荷となったときにスクレーパ４１が、例えば幅中央でシャーピンを中心に折れるよう安全手段を形成する。又、回転テーブル３１の外周側のくの字断面部３３には、その下縁部に適当な間隔で小さなダストスクレーパを取付けるのが好ましい。上記断面部３３と排出筒２の内周との隙間からダスト溝３３D を通り底板１０上に微小な被破砕物が入る虞れがあるからである。
【００２１】
さらに、回転テーブル３１の内周側の垂直状の縁材３１ａも、回転軸４の軸受のカバー材でコ字状に囲んでいるが、微小な被破砕物が軸受側へ侵入するのを防止するため、縁材３１ａとコ字状カバーとの間にゴムシールのようなシール材を取付けるのがよい。
【００２２】
上記構成の破砕機での破砕作用は、基本的に従来の破砕機と同じであるが、破砕された被破砕物を排出筒２内から排出口４２へ回転テーブル３１により回転移動する点が従来と大きく異なる。ブレーカライナ５やグラインダ８により破砕された被破砕物はロータ６とチョークリング１３との隙間以下のサイズに破砕されたものが隙間から落下し、回転テーブル３１上に載置されて回転テーブル３１により排出口４２へと回転移動される。
【００２３】
上記被破砕物の移動速度は、回転テーブル３１が回転軸４と異なる低速度で回転する。回転テーブル３１は被破砕物の載置面がフラットな水平面として形成されているため、回転テーブル３１を回転させても、その上方の空間スペース内に回転テーブル３１の回転による空気の流れが風となって生じることは殆んどない。しかし、円筒状シエル内での破砕時に生じるフロンガスなどの浮遊粒子はチョークリング１３との隙間から例えば３０〜５０ｍ3 ／ｍｉｎ程度の残存する排気風量又は次工程のフロン回収設備の吸引風量により吸引される。これに対し、従来であればスイーパのアーム先端が上記空間スペース内の空気を、回転軸４と同じ高速回転により高速度の気流として遠心ファンで押圧するように移動させていたため排出口４２では高速度の気流が被破砕物と共に排出されていた。
【００２４】
一方、上記実施形態では被破砕物を低速度で移動させる際に、残存する排気風量が排出口４２へ排出されるだけであるから、排出口４２の次に接続される、例えばフロン回収装置（図示省略）に対し、その作用を阻害する程の風を排出口４２から排出することはない。従って、フロン回収装置の処理動作とのミスマッチングが解消され、有効なフロン回収作用が確保される。
【００２５】
図５に変形例の要部断面図を示す。この変形例では回転テーブル３１を回転駆動する駆動部を回転軸４としているが、この駆動部との間には回転伝達手段として回転軸４の軸受カバー面に大歯車３８とこれに係合する小歯車３７を設け、小歯車の軸をスプロケット３５に連結して形成されている。大歯車３８は、リング部材外周面にタイミングベルトの歯形部材を取付けて形成するか、又は金属製の歯車として形成してもよい。
【００２６】
【発明の効果】
以上、詳細に説明したように、この発明の破砕装置は円筒状シエルを支持する排出筒内に回転自在に設けた回転テーブルを回転軸と異なる低速度で回転させるよう駆動部へ回転伝達手段を介して連結するようにしたから、従来のようにスイーパ手段で排気筒内の被破砕物を排出口へ排出する際に生じるような大きな風量の排気が生じることがなく、回転テーブル上に被破砕物が載置される際に残存する排気風量という小さな風量で排出しながら回転テーブルにより被破砕物を排出口へ回転移動でき、次工程の装置の作用を阻害しないようにすることができるという利点が得られる。
【図面の簡単な説明】
【図１】実施形態の縦型破砕機の主要縦断面図
【図２】図１の矢視II−IIからの平面図
【図３】同上の排気筒部分の斜視図
【図４】図３の部分拡大斜視図
【図５】変形実施形態の断面図
【図６】従来例の縦型破砕機の部分斜視図
【符号の説明】
１  円筒状シエル
２  排出筒
３  シエルライナ
４  回転軸
５  ブレーカライナ
６  ロータ
７  グラインダピン
８  グラインダ
１０  底板
３１  回転テーブル
３２  傾斜軸受
３３  くの字断面部
３４  リンクチェーン
３５  スプロケット
３６  モータ
４１  スクレーパ
４２  排出口
【図１】
0003865562.tif 000002
【図２】
0003865562.tif 000003
【図３】
0003865562.tif 000004
【図４】
0003865562.tif 000005
【図５】
0003865562.tif 000006
【図６】
0003865562.tif 000007